(57)【要約】【課題】陳列室内に陳列される商品に応じた適切な照明を容易に実現することができるショーケースを提供する。【解決手段】本発明のショーケース１は、商品を陳列する陳列室１１と、この陳列室１１内を照明する複数の照明装置３８を備えたものであって、この照明装置は、白色光を発する白色ＬＥＤ４１と、この白色ＬＥＤ４１からの照射光に演色性を付加する透光性の演色手段を構成するシェード４２とから構成されることを特徴とし、陳列される商品に応じた適切な演色性の光による照明を行う。【選択図】図５
2008295533.tif 000002
【特許請求の範囲】
【請求項１】
商品を陳列する陳列室と、該陳列室内を照明する照明装置を備えたショーケースにおいて、
前記照明装置は、白色光を発する白色ＬＥＤと、該白色ＬＥＤからの照射光に演色性を付加する透光性の演色手段とから構成されることを特徴とするショーケース。
【請求項２】
前記演色手段は、前記白色ＬＥＤを覆う着脱自在のシェードであることを特徴とする請求項１に記載のショーケース。
【発明の詳細な説明】
【技術分野】
【０００１】
本発明は、商品を陳列する陳列室と、陳列室内を照明する照明装置を備えたショーケースに関するものである。
【背景技術】
【０００２】
従来この種ショーケースは、例えば特許文献１に示される如く断面略コ字状の断熱壁の開口上縁に形成した吐出口から、開口下縁の吸込口に向けて冷気を吐出することにより、前記開口にエアーカーテンを形成すると共に、断熱壁にて囲繞された陳列室を所定温度に冷却している。そして、開口上縁の外側又は開口両側縁及び棚下などに複数の蛍光ランプを取り付け、陳列室内及びショーケース自体の照明を行っている。
【０００３】
通常、特許文献１に示されるような庫内を冷却し、当該冷却環境において陳列される商品の照明を行う照明装置としては、蛍光ランプが用いられる。蛍光ランプは、例えば、ＪＩＳ（日本工業規格）Ｃ７６０１によるＦＬ４、ＦＬ６、ＦＬ８、ＦＬ１０等が採用されており、いずれも細長い円筒形である。そのため、陳列室側に取り付けられるホルダーに係止させることによって、蛍光ランプが取り付けられる。
【０００４】
蛍光ランプは、交流電源ＡＣが投入されると、スタータを一定時間導通させて、蛍光ランプのフィラメントに電流を流す。そして、フィラメントが加熱された後、スタータを遮断することで、安定器がフィラメント間に高電圧を印加する。この高電圧により両フィラメント間に放電が生じ、これによって、蛍光ランプが発光する。一旦発光した後は、安定器により蛍光ランプの発光が持続される。
【０００５】
蛍光ランプなどそれ自体で発光する物体、即ち、光源は、それぞれ発光する色が異なり、色温度（Ｋ：ケルビン）によって光源色を表すことができる。例えば、蛍光ランプは、白色、昼白色など４０００Ｋ〜７０００Ｋであり、ハロゲン電球は３２００Ｋ程度、電球は２８００Ｋ程度である。一般に、色温度の低いものから放射する光は赤く、色温度が高くなるにつれて白みを帯び、更に高くなると青みを帯びる。そのため、電球から発光される光は、赤みを帯びており、ハロゲン電球は、電球よりも白温度が高いことから電球に比べて白みを帯びた光となる。
【０００６】
また、昨今では、蛍光ランプ等の人工光から作り出される様々な発光を組み合わせることによって、色覚反応の強い青、緑、赤の３波長域に光を集中させ、照度と、演色性の向上を図った蛍光ランプの開発が行われている。即ち、赤の波長域により多くの光を集中させた蛍光ランプをショーケースにおける陳列室の照明に用いることにより、陳列室内に陳される肉などの商品をより赤く演出することができる。また、緑の波長域により多くの光を集中させた蛍光ランプを陳列室の照明に用いることにより、陳列室内に陳列される青物などの商品をより緑に演出することができる。
【特許文献１】特開平５−３１７１４６号公報
【発明の開示】
【発明が解決しようとする課題】
【０００７】
しかしながら、スーパーマーケットなどの店舗では、野菜や肉類、魚介類を陳列する場合であっても、汎用性の面から同種のショーケースを複数台設置して行う。そのため、ショーケースの陳列室に陳列する商品の効果的な照明を行うためには、当該商品の種類に応じた演色性を備える蛍光ランプを選択し、取り付けなければならない。
【０００８】
そのため、店舗では、商品の種類に応じた演色性を実現することができる蛍光ランプを複数種類、有していなければ成らないという問題がある。また、それぞれ専用の蛍光ランプを用いなければ、蛍光ランプによる演色性が商品陳列において逆効果となってしまう場合もある。従って、適切な演色効果を得るためには、コストの高騰や、照明管理作業の煩雑化を招く問題があった。
【０００９】
そこで、本発明は従来の技術的課題を解決するためになされたものであり、陳列室内に陳列される商品に応じた適切な照明を容易に実現することができるショーケースを提供する。
【課題を解決するための手段】
【００１０】
本発明のショーケースは、商品を陳列する陳列室と、該陳列室内を照明する照明装置を備えたものであって、照明装置は、白色光を発する白色ＬＥＤと、該白色ＬＥＤからの照射光に演色性を付加する透光性の演色手段とから構成されることを特徴とする。
【００１１】
請求項２の発明のショーケースは、上記発明において、演色手段は、白色ＬＥＤを覆う着脱自在のシェードであることを特徴とする。
【発明の効果】
【００１２】
本発明によれば、商品を陳列する陳列室と、該陳列室内を照明する照明装置を備えたショーケースにおいて、照明装置は、白色光を発する白色ＬＥＤと、該白色ＬＥＤからの照射光に演色性を付加する透光性の演色手段とから構成されるため、白色ＬＥＤからの照射光は、演色手段を透過する過程において演色性が付加され、これによって、陳列室内に陳列される商品に適した色の演色性を有する照射光によって当該商品を照明することが可能となる。
【００１３】
従って、陳列される商品を照明装置によって効果的に演出することが可能となる。また、本発明によれば、格別な有色性の照明手段を用いることなく、演色性を有する照射光によって商品の効果的な照明を実現することができるため、生産コストの低減や制御装置の簡素化を実現することが可能となる。
【００１４】
また、請求項２の発明によれば、上記発明において、演色手段は、白色ＬＥＤを覆う着脱自在のシェードであることから、異なる演色性を付加するシェードを複数備え、これらを陳列室内に陳列される商品に応じて取り替えることにより、容易に、陳列室内に陳列される商品に応じた演色性の照射光によって、陳列室内を照明することが可能となる。
【００１５】
これにより、汎用性の拡大を図ることが可能となり、それぞれの商品に応じた効果的な照明を実現することが可能となる。
【発明を実施するための最良の形態】
【００１６】
次に、図面に基づき本発明の実施例を詳述する。図１は本発明のショーケース１の斜視図、図２はショーケース１の縦断側面図をそれぞれ示している。本発明のショーケース１は断面略コ字状の断熱壁２と、この断熱壁２の両側に取り付けられた側板３、３とから構成されている。断熱壁２の内側にはそれぞれ間隔を存して仕切板４が取り付けられ、これら仕切板４などと断熱壁２間に図示しない内外二層のダクトが形成されている。内側の仕切板を構成する仕切板４の下端前方には、デックパン９が断熱壁２の底壁２Ａとの間にダクト用の間隔を存して取り付けられており、これら仕切板４及びデックパン９の内側を陳列室１１としている。
【００１７】
また、この陳列室１１内には、高さ及び取付角度が変更可能であると共に、陳列室１１内背部の図示しない支柱に取り付けられる一対のブラケット３１及びこれらと共に棚を構成する棚板３２が複数段に渡って架設されている。棚板３２の前縁には、硬質合成樹脂により成型されるプライスレール３４が取り付けられており、当該プライスレール３４は、棚板３２の装飾体を兼用している。また、この棚板３２の前壁とプライスレール３４との間には、所定の間隔が形成されており、当該間隔には棚板３２上の商品が落下することを防止するためのガード３５が取り付けられている。
【００１８】
断熱壁２の前面開口１２の上縁にはハニカム材１３、１４がそれぞれ取り付けられた内層吐出口１６及び外層吐出口１７が並設されており、これら吐出口１６、１７は、前記内層ダクト及び外層ダクトにそれぞれ連通している。また、開口１２の下縁には、内層吸込口１８と外層吸込口１９が並設されている。
【００１９】
一方、デックパン９下方後部には、断熱壁２の底壁２Ａ上に内層ダクト及び外層ダクトのそれぞれに対応する図示しない送風機が複数台設置されている。仕切板４後方の内層ダクト内には、冷却装置の冷却器２７が縦設されており、前記内層ダクトに対応した送風機が運転されると冷却器２７と熱交換した冷気は内層ダクト内を上昇せられ、内層吐出口１６より内層吸込口１８に向かって吐出される。そして、内層吸込口１８から吸い込まれた冷気は再び前記送風機によって加速される。
【００２０】
他方、前記外層ダクトに対応した送風機が運転されると外層ダクト内の空気は外層ダクト内を上昇せられ、外層吐出口１７より外層吸込口１９に向かって吐出される。そして、外層吸込口１９から吸い込まれた空気は再び前記送風機によって加速される。これによって、開口１２には前後二重のエアーカーテンが形成され、内側の冷気エアーカーテンの一部が陳列室１１内に循環されて陳列室１１は冷却される。
【００２１】
次に図２及び図３を参照して、断熱壁２の天壁２Ｂ前部の構成について説明する。図３は図２の部分拡大図を示している。断熱壁２の天壁２Ｂ前端（上部前端）には、前方に張り出したキャノピー３３が取り付けられており、このキャノピー３３の内側には、陳列室１１の前面開口１２より外側に延在した状態で反射板２０が取り付けられている。
【００２２】
この反射板２０には、化粧塗装が施された金属板にて構成されており、前部には、長手方向に渡って凹陥された照明取付部２１が形成されている。この照明取付部２１は、下後方に位置する陳列室１１の前面開口１２に向けて開口している。
【００２３】
そして、この照明取付部２１の当該開口に対応する面は、照明取付面２１Ａとされており、上前方から陳列室１１の前面開口１２を臨む角度、即ち、後斜め下方の陳列室１１方向に面して構成されており、当該照明取付面２１Ａには、発光ダイオード（Light Emitting Dionde以下、ＬＥＤという）を光源とする照明装置３８が取り付けられている。
【００２４】
本実施例における照明装置３８は、上記図３及び図４の照明装置３８の概略構成説明図に示すように矩形状の基板４０に配列された複数の白色ＬＥＤ４１と、当該白色ＬＥＤ４１を覆う着脱自在のシェード（演色手段）４２とから構成されている。白色ＬＥＤ４１は、白色光ＬＷを発するＬＥＤであり、本実施例では、例えば、白色蛍光体を使用した近紫外ＬＥＤベースの白色ＬＥＤや、青色ＬＥＤの光源を黄色の蛍光体を通すことで白色発光を可能とする白色ＬＥＤにより構成する。また、当該白色ＬＥＤ４１は、一列若しくは、前後に二列以上並設してもよく、本実施例では、一列設けられているものとする。本実施例では、ショーケース１の前面開口１２が６尺（約１８３０ｍｍ程度）延在して形成されているため、当該白色ＬＥＤ４１は、１０８個程度使用する。
【００２５】
そして、当該白色ＬＥＤ４１、基板４０は、光が照射される側から囲繞するかたちでシェード４２が取り付けられ、これによって被覆される。このシェード４２は、透光性を有する材料、例えば透光性の硬質合成樹脂にて構成されており、白色ＬＥＤ４１からの照射光に演色性を付加するため、当該ＬＥＤ４１からの光の一部を吸収して自ら有色の光を発する蛍光体、若しくは、白色ＬＥＤ４１からの照射光自体に着色を行う着色剤が、塗布、あるいは、材料自体に含有させることによりシェード４２に施されている。
【００２６】
なお、本実施例では、シェード４２は、前面開口１２の幅寸法に応じて一列に設けられる複数の白色ＬＥＤ４１を一部品にて被覆可能とする寸法に形成されていると共に、照明装置３８に対し、着脱自在に設けられている。
【００２７】
そして、本実施例では、陳列室１１内に陳列される商品に応じた演色照明を実現するため、シェード４２は、複数種類、例えば白色ＬＥＤ４１から照射された光から赤色の演色性を強調した透過光ＬＲを形成する赤演色性シェード４２Ｒと、同じく白色ＬＥＤ４１から照射された光から緑色の演色性を強調した透過光ＬＧを形成する緑演色性シェード４２Ｇと、白色の透過光ＬＷを形成する白色シェード４２Ｗをそれぞれ備えている。なお、当該シェード４２による透過光の色はこれに限定されるものではなく、陳列室１１内に陳列される商品を効果的に照明することが可能な演色性を強調した光であれば、何色であっても良いものとする。
【００２８】
係る構成により、陳列室１１内に陳列される商品が、例えば、肉類や、トマトなどの赤色の野菜などである場合には、当該照明装置３８の白色ＬＥＤ４１には、赤演色性シェード４２Ｒを取り付け、商品の照明を実行する。
【００２９】
これにより、図５に示すように照明装置３８は、白色ＬＥＤ４１から照射された白色光は、赤演色性シェード４２Ｒを透過する過程で赤演色性が付加され、これによって、陳列室１１内に陳列される商品に適した色の演色性が強調された照射光ＬＲによって当該商品を照明することが可能となる。そのため、係る赤色が強調された演色照明を行うことによって、例えば肉類の赤み部分やトマトなどの赤色の野菜をより赤く見せることが可能となる。
【００３０】
他方、陳列室１１内に陳列される商品が、例えば、野菜などの青物などである場合には、当該照明装置３８の白色ＬＥＤ４１には、緑演色性シェード４２Ｇを取り付け、商品の照明を実行する。
【００３１】
これにより、図６に示すように照明装置３８は、白色ＬＥＤ４１から照射された白色光は、緑演色性シェード４２Ｇを透過する過程で緑演色性が付加され、これによって、陳列室１１内に陳列される商品に適した色の演色性が強調された照射光ＬＧによって当該商品を照明することが可能となる。そのため、係る緑色が強調された演色照明を行うことによって、例えば野菜などの青物をより青々しく見せることが可能となる。
【００３２】
なお、上記実施例以外にも、例えば、白色ＬＥＤ４１から照射された光から青みを帯びた透過光を形成する青演色性シェードを用いた場合には、上記各赤演色性シェード４２Ｒを透過した光や緑演色性シェード４２Ｇを透過した光にて照明を行う場合と同様に、青演色性シェードを透過した青色が強調された光にて陳列室１１内を照明することが可能となる。この場合、例えば、魚介類をよりみずみずしく見せることが可能となる。
【００３３】
これにより、陳列される商品を照明装置３８によって効果的に演出することが可能となる。また、この場合、格別な有色性の照明手段、例えば、赤色ＬＥＤや緑色ＬＥＤ等を用いることなく、演色性を有する照射光によって商品の効果的な照明を実現することができるため、生産コストの低減を実現することができる。また、複数種類の有色性の照明手段（演色ＬＥＤ）への通電電流を制御することにより、特定の演色照明を行う場合に比して、そのための制御装置等を設ける必要がなくなり、装置の簡素化を実現することが可能となる。
【００３４】
また、本実施例では、白色ＬＥＤ４１からの照射光に演色性を付加する演色手段は、シェード４２により構成されていることから、白色ＬＥＤ４１の一つ一つから照射される光をシェード４２によって全体的に拡散させた状態で陳列室１１内を照明することが可能となり、白色ＬＥＤ４１による照射光が斑状となって陳列室１１内が照明される不都合を解消することが可能となる。
【００３５】
また、本実施例では、シェード４２は、白色ＬＥＤ４１及び当該白色ＬＥＤ４１が取り付けられる基板４０を光の照射側から覆うかたちで着脱自在に取り付けられるものであるため、当該シェード４２の着脱によって容易に演色性を付加した照明と、演色性を施していない照明とを実現することが可能となる。
【００３６】
そのため、一台のショーケース１において、演色性を付加した照明を行う部分と、演色性を施していない照明を行う部分とを、シェード４２の着脱によって使い分けることができ、使用者のニーズに応じて適切な演色照明を行うことが可能となる。
【００３７】
本実施例では、シェード４２は、前面開口１２の幅寸法に応じて一列に設けられる複数の白色ＬＥＤ４１を一部品にて被覆可能とする寸法に形成されているが、これに限定されるものではなく、複数部品によりシェード４２を構成し、陳列される商品に応じた位置のみに、当該商品に応じた演色性を施すことが可能なシェード４２を取り付けて使用しても良いものとする。
【００３８】
また、本実施例では、異なる演色性を付加するシェード４２Ｒ、４２Ｇを複数備え、これらを陳列室内に陳列される商品に応じて取り替え可能に構成しているため、容易に、陳列室１１内に陳列される商品に応じた演色性が強調された照射光によって、陳列室１１内を照明することが可能となる。
【００３９】
これにより、汎用性の拡大を図ることが可能となり、それぞれの商品に応じた効果的な照明を実現することが可能となる。
【００４０】
また、本実施例では、演色性のない光にて陳列室１１内を照明する場合には、演色性を付加するシェード４２Ｒ、４２Ｇの代わりに、白色の透過光ＬＷを形成する白色シェード４２Ｗを取り付けても良い。
【００４１】
これにより、図７に示すように、白色ＬＥＤ４１から照射された白色照射光は、白色シェード４２Ｗを透過することにより、白色ＬＥＤ４１の一つ一つから照射される光をシェード４２Ｗによって全体的に拡散させた状態で陳列室１１内を照明することが可能となる。従って、白色ＬＥＤ４１による照射光が斑状となって陳列室１１内が照明される不都合を解消することができ、均一な白色の照射光ＬＷにより陳列室１１内を照明することが可能となる。
【００４２】
なお、本実施例では、白色ＬＥＤ４１からの照射光に演色性を付加する演色手段として当該白色ＬＥＤ４１及び基板４０を光が照射される側から覆うシェード４２により構成しているが、これに限定されるものではなく、個々の白色ＬＥＤ４１自体をシェード４２と略同様に構成される着色透明フィルムなどによって、白色ＬＥＤ４１からの照射光に演色性を付加しても同様の効果を奏することができる。
【００４３】
また、本実施例では、照明装置３８は、キャノピー３３の内側に取り付けられているものを例に挙げて説明しているが、これに限定されるものではなく、例えば、棚３２の前部下面やデックパン９の前端と吸込口１８の間、更には、断熱壁２の開口１２下縁を構成するハンドレールの陳列室１１内に臨む面などに照明装置３８と略同様に構成される照明装置を設けることによっても、効果的に陳列室１１内に陳列される商品を照明することが可能となる。
【図面の簡単な説明】
【００４４】
【図１】ショーケースの斜視図である。
【図２】ショーケースの縦断側面図である。
【図３】図２の部分拡大図である。
【図４】照明装置の概略構成説明図である。
【図５】赤演色性の照明装置の照明状態を示す図である。
【図６】緑演色性の照明装置の照明状態を示す図である。
【図７】演色性がない場合の照明装置の照明状態を示す図である。
【符号の説明】
【００４５】
１    ショーケース
２    断熱壁
１１  陳列室
１２  前面開口
２０  反射板
２１  照明取付部
２１Ａ  照明取付面
３２  棚
３３  キャノピー
３８  照明装置
４０  基板
４１  白色ＬＥＤ
４２  シェード（演色手段）
４２Ｒ  赤演色性シェード
４２Ｇ  緑演色性シェード
４２Ｗ  白色シェード
【図１】
2008295533.tif 000003
【図２】
2008295533.tif 000004
【図３】
2008295533.tif 000005
【図４】
2008295533.tif 000006
【図５】
2008295533.tif 000007
【図６】
2008295533.tif 000008
【図７】
2008295533.tif 000009